(57)【要約】      （修正有）【課題】データ量を削減しつつ、記番号を識別可能な画像を記憶することができる紙幣処理装置を提供する。【解決手段】現金自動取引装置は、紙幣全体の画像である紙幣画像を取得する紙幣画像取得部４０と、紙幣画像から記番号を含む画像である記番号周辺画像を取得する記番号周辺画像取得部４２と、紙幣画像を低解像度化し低解像度紙幣画像を生成する紙幣画像低解像度化部４４と、低解像度紙幣画像における記番号周辺画像に相当する位置へ記番号周辺画像を埋め込み合成紙幣画像を作成する合成紙幣画像作成部４６とを設ける。【選択図】図３
2015191577.tif 000002
【特許請求の範囲】
【請求項１】
紙幣全体の画像である紙幣画像を取得する紙幣画像取得部と、
前記紙幣画像から前記紙幣に付された記番号を含む画像である記番号周辺画像を取得する記番号周辺画像取得部と、
前記紙幣画像を低解像度化し低解像度紙幣画像を生成する紙幣画像低解像度化部と、
前記低解像度紙幣画像における前記記番号周辺画像に相当する位置へ前記記番号周辺画像を埋め込み合成紙幣画像を作成する合成紙幣画像作成部と
を有する紙幣処理装置。
【請求項２】
前記記番号周辺画像を記番号が識別可能な状態を保ちつつ低解像度化し低解像度記番号周辺画像を作成する記番号周辺画像処理部
をさらに有し、
前記合成紙幣画像作成部は、前記低解像度紙幣画像における前記記番号周辺画像に相当する位置へ前記低解像度記番号周辺画像を埋め込み前記合成紙幣画像を作成する
請求項１に記載の紙幣処理装置。
【請求項３】
前記合成紙幣画像を所定の記憶手段に記憶する記憶部
をさらに有する請求項２に記載の紙幣処理装置。
【請求項４】
前記紙幣の状態を判定する判定部
をさらに有し、
前記記憶部は、前記判定部において前記紙幣が異常であると判定された場合、前記合成紙幣画像を所定の記憶手段に記憶する
請求項３に記載の紙幣処理装置。
【請求項５】
前記紙幣の状態を判定する判定部と、
前記判定部において前記紙幣の金種が特定できないと判定された場合、前記紙幣画像を所定の記憶手段に記憶する記憶部と
をさらに有する請求項１に記載の紙幣処理装置。
【請求項６】
前記紙幣の状態を判定する判定部と、
前記判定部において前記紙幣が正常であると判定された場合、前記記番号周辺画像を所定の記憶手段に記憶する記憶部と
をさらに有する請求項１に記載の紙幣処理装置。
【請求項７】
前記紙幣の状態を判定する判定部と、
前記判定部において前記紙幣の金種が特定できないと判定された場合は前記紙幣画像を、前記紙幣が異常であると判定された場合は前記合成紙幣画像を、前記紙幣が正常であると判定された場合は前記記番号周辺画像を、それぞれ所定の記憶手段に記憶する記憶部と
をさらに有する請求項２に記載の紙幣処理装置。
【請求項８】
前記記番号周辺画像処理部は、
前記記番号周辺画像を二値化し二値化記番号周辺画像を作成する記番号周辺画像二値化部と、
前記二値化記番号周辺画像を細線化し細線化記番号周辺画像を作成する記番号周辺画像細線化部と、
前記細線化記番号周辺画像を低解像度化し前記低解像度記番号周辺画像を作成する記番号周辺画像低解像度化部と
を有する請求項２に記載の紙幣処理装置。
【請求項９】
前記記番号周辺画像処理部は、前記記番号周辺画像を低解像度化することにより前記低解像度記番号周辺画像のデータ量を前記記番号周辺画像よりも削減する
請求項８に記載の紙幣処理装置。
【請求項１０】
前記記憶部に記憶された前記合成紙幣画像を拡大し記番号部分から記番号を識別する記番号識別部
をさらに有する請求項３に記載の紙幣処理装置。
【発明の詳細な説明】
【技術分野】
【０００１】
本発明は紙幣処理装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金するようになされている。
【０００３】
現金自動取引装置としては、例えば顧客との間で紙幣の授受を行う紙幣入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣収納庫とを有するものがある。
【０００４】
このような現金自動取引装置には、鑑別部において、異常と判定された紙幣については当該紙幣の全面の画像を記憶する一方、正常と判定された紙幣については当該紙幣に付された記番号を含む周辺の画像を記憶するものが提案されている（例えば、特許文献１参照）。
【先行技術文献】
【特許文献】
【０００５】
【特許文献１】特開２０１２−１８５３４号公報
【発明の概要】
【発明が解決しようとする課題】
【０００６】
このような現金自動取引装置においては、データ量を削減しつつ、目視で記番号を識別可能な画像を記憶することが望まれている。
【０００７】
本発明は以上の点を考慮してなされたもので、機能性を高め得る紙幣処理装置を提案しようとするものである。
【課題を解決するための手段】
【０００８】
かかる課題を解決するため本発明の紙幣処理装置においては、紙幣全体の画像である紙幣画像を取得する紙幣画像取得部と、紙幣画像から紙幣に付された記番号を含む画像である記番号周辺画像を取得する記番号周辺画像取得部と、紙幣画像を低解像度化し低解像度紙幣画像を生成する紙幣画像低解像度化部と、低解像度紙幣画像における記番号周辺画像に相当する位置へ記番号周辺画像を埋め込み合成紙幣画像を作成する合成紙幣画像作成部とを設けるようにした。
【０００９】
この紙幣処理装置は、記番号を識別可能な状態を保ちつつ記番号周辺画像を低解像度化することで、データ量を削減しつつ、記番号を識別可能な画像を記憶することができる。
【発明の効果】
【００１０】
本発明によれば、データ量を削減しつつ、記番号を識別可能な画像を記憶することができる。かくして本発明は、機能性を高め得る紙幣処理装置を実現できる。
【図面の簡単な説明】
【００１１】
【図１】現金自動取引装置の構成を示す斜視図である。
【図２】紙幣入出金機の構成を示す左側面図である。
【図３】紙幣入出金機の機能構成を示すブロック図である。
【図４】紙幣読取記憶処理手順を示すフローチャートである。
【図５】紙幣読取記憶処理における画像処理を示す図である。
【図６】入金処理手順を示すフローチャートである。
【図７】収納処理手順を示すフローチャートである。
【図８】出金処理手順を示すフローチャートである。
【図９】拡大合成紙幣画像の構成を示す略線図である。
【図１０】拡大低解像度紙幣画像の構成を示す略線図である。
【発明を実施するための形態】
【００１２】
以下、発明を実施するための形態（以下実施の形態とする）について、図面を用いて説明する。
【００１３】
［１．実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に接客部３が設けられている。
【００１４】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。また入出金口５は、シャッタを駆動することにより開放又は閉塞するようになされている。操作表示部６は、取引に際して操作画面を表示するＬＣＤ（Liquid Crystal Display）と、取引の種類の選択、暗証番号や取引金額等を入力するタッチパネルとが一体化されている。
【００１５】
テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１６】
筐体２内には、現金自動取引装置１全体を統括制御する主制御部９や、紙幣に関する種々の処理を行う紙幣入出金機１０や、ジャーナル部３２等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部（図示せず）から所定のプログラムを読み出して実行することにより、各部を制御して入金取引や出金取引等の種々の処理を行う。
【００１７】
ジャーナル部３２は、例えばハードディスクドライブにより構成され、後述する紙幣画像、異常時記番号情報又は正常時記番号情報を、顧客情報及び取引情報と対応付けて圧縮して暗号化しジャーナル情報として取引毎に保存する。
【００１８】
以下では、現金自動取引装置１のうち顧客が対峙する側を前側とし、その反対を後側とし、当該前側に対峙した顧客から見て左及び右をそれぞれ左側及び右側とし、さらに上側及び下側を定義して説明する。
【００１９】
［１−２．紙幣入出金機の構成］
紙幣入出金機１０は、図２に示すように、制御部１２が各部（入出金部１６、搬送部２４、鑑別部１８、一時保留部２０、取忘れ庫２２、紙幣収納庫２６及びリジェクト庫２８）を統括制御する。
【００２０】
制御部１２は、図示しないＣＰＵを中心に構成されており、ＲＯＭ、ＲＡＭ、ハードディスクドライブやフラッシュメモリ等でなる記憶部１４から所定のプログラムを読み出して実行することにより、各部を制御して入金取引や出金取引等の種々の処理を行う。
【００２１】
紙幣入出金機１０の内部には、上側に入出金部１６、紙幣の金種や真偽等を判定する鑑別部１８、入金紙幣等を一時的に保留する一時保留部２０及び取引時に顧客が入出金部１６から取り忘れた紙幣を回収して格納する取忘れ庫２２等が設けられている。
【００２２】
入出金部１６は、顧客から投入された紙幣を１枚ずつ分離し搬送部２４へ繰り出す。搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、当該鑑別部１８の後側と取忘れ庫２２、一時保留部２０及び入出金部１６とをそれぞれ接続している。また搬送部２４は、鑑別部１８の前側と入出金部１６、紙幣収納庫２６及びリジェクト庫２８とを接続している。
【００２３】
鑑別部１８は、その内部で紙幣を搬送しながら、光学素子や磁気検出素子等を用いて当該紙幣の金種及び真偽、並びに損傷の程度等（正損）を鑑別し、その鑑別結果を制御部１２へ通知する。また鑑別部１８は、撮像した紙幣の画像データから、紙幣毎に付与されその紙幣の一面に予め印刷された英数字等で構成された紙幣識別情報である記番号を読み取り識別する。このとき鑑別部１８は、識別した字を識別結果として制御部１２へ通知する。これに応じて制御部１２は、取得した鑑別結果及び識別結果に基づいて当該紙幣の搬送先を決定する。
【００２４】
記番号は、アルファベット等の英語の文字と、０〜９の数字とにより構成されている。この記番号は、紙幣が現金自動取引装置１内部でジャムした場合や、顧客が取り忘れた紙幣を現金自動取引装置１が取り込んだ場合等、紙幣の特定が必要な際に、保存された識別結果から紙幣を特定し、顧客へ証拠情報として提示する際に用いられる。また記番号は、現金自動取引装置１において偽札が発見された場合、偽札の記番号と、保存された識別結果及び取引情報を照合し、現金自動取引装置１へ入金された経緯を特定したり、顧客が入金した紙幣の場合、顧客へ証拠情報として提示したりする際に用いられる。さらに記番号は、大量に流通している偽札があり、それらの偽札の記番号が特定されている場合、予めそれらの記番号を鑑別部１８に登録し、ある一定数以上の字数が一致した紙幣が入金された場合にその紙幣を偽札として検出する際にも用いられる。
【００２５】
一時保留部２０は、入金時に顧客が入出金部１６へ投入した紙幣を一時的に保留し、鑑別部１８で入金可能と鑑別された正常紙幣を入金が確定するまで一時的に保留する。
【００２６】
また紙幣入出金機１０の内部には、下側に金種別の紙幣収納庫２６と、鑑別部１８において破損した紙幣（いわゆる損券）と鑑別された紙幣、偽札と判別された紙幣及び５千券や２千券等の還流されない金種の紙幣を格納するリジェクト庫２８とが設けられている。紙幣収納庫２６は、収納排出機構により、搬送部２４から搬送されてきた紙幣を取り込んで収納すると共に、収納されている紙幣を排出して搬送部２４へ供給する。
【００２７】
かかる構成において現金自動取引装置１は、鑑別部１８による紙幣の鑑別結果及び識別結果等をもとに主制御部９及び制御部１２が各部を制御して、紙幣の入金処理、収納処理及び出金処理を行う。
【００２８】
［１−３．紙幣読取記憶処理］
次に、紙幣入出金機１０による紙幣読取記憶処理の具体的な処理手順について、図４に示すフローチャートを用いて詳細に説明する。ここで、紙幣入出金機１０における紙幣読取記憶処理に関係する基本的な機能を機能ブロック図により表すと、図３のようになる。
【００２９】
図３において、紙幣画像取得部４０、記番号周辺画像取得部４２、紙幣画像低解像度化部４４、合成紙幣画像作成部４６、記番号周辺画像処理部４８（記番号周辺画像二値化部５４、記番号周辺画像細線化部５６及び記番号周辺画像低解像度化部５８）は鑑別部１８及び制御部１２と、記憶部５０はジャーナル部３２及び制御部１２と、判定部５２は鑑別部１８及び制御部１２と、記番号識別部６０は鑑別部１８及び制御部１２と、それぞれ対応している。
【００３０】
紙幣入出金機１０の制御部１２は、後述する入金処理、収納処理及び出金処理において紙幣読取記憶処理に移行すると、記憶部１４から紙幣読取記憶処理プログラムを読み出して実行することにより紙幣読取記憶処理手順ＲＴ１を開始し、ステップＳＰ１へ移る。
【００３１】
ステップＳＰ１において紙幣入出金機１０の鑑別部１８は、紙幣をスキャンし、ステップＳＰ２へ移り、少なくとも紙幣の片面全体を含む図５に示す紙幣画像ＰＢを紙幣画像取得部４０により取得し、ステップＳＰ３へ移る。ステップＳＰ３において鑑別部１８は、判定部５２により、紙幣画像ＰＢから金種が確定できるか否かを判定する。具体的には判定部５２は、紙幣が走行時に大きく傾いていたり、紙幣が汚れていたり、折り畳まれていたり、複数枚の紙幣が走行時に重なっていたり、紙幣以外の媒体が走行している場合、金種が確定できないと判定する。
【００３２】
ステップＳＰ３において否定結果が得られると、このことは、金種が不明な金種不確定紙幣であるため紙幣において記番号が配されている位置が不明であり記番号を読み取ることができないことを表しており、このとき制御部１２は、ステップＳＰ４へ移り、記憶部５０により紙幣画像ＰＢをジャーナル部３２に記憶し、ステップＳＰ２０へ移り紙幣読取記憶処理手順ＲＴ１を終了する。この紙幣画像ＰＢは、データ量は大きいものの、搬送された状態の紙幣の全体が含まれており、紙幣の記番号部分と、当該記番号以外の部分である背景部分とは、撮像した状態のまま示され、記番号部分は記番号の読み取りが可能な程度の精細度を有している。
【００３３】
一方ステップＳＰ３において肯定結果が得られると、このことは、金種が確定したため紙幣において記番号が配されている位置が確定したことを表しており、このとき鑑別部１８は、ステップＳＰ５へ移り、判定部５２により、紙幣が異常紙幣であるか否かを判定する。具体的には判定部５２は、紙幣に欠損が存在していたり、明らかに偽札と判断されたり、意図的な落書きが存在したり、紙幣のセキュリティが欠落している場合、異常紙幣であると判定する。
【００３４】
ステップＳＰ５において肯定結果が得られると、このことは、金種が確定したため紙幣における記番号部分の位置は確定したものの、異常紙幣であったことを表しており、このとき鑑別部１８はステップＳＰ６へ移り、紙幣画像低解像度化部４４により紙幣画像ＰＢを所定の倍率で低解像度化し、図５に示す低解像度紙幣画像ＰＬＲを作成し、ステップＳＰ７へ移る。この低解像度紙幣画像ＰＬＲは、紙幣画像ＰＢよりも低解像度化されることにより画素数が少なくなりデータ量が小さくなっているものの、低解像度化に伴い記番号部分の画像が潰れてしまい、記番号を識別することが困難な状態となっている。また背景部分は、紙幣画像ＰＢよりも画像が荒くなっているものの、ある程度は認識可能な状態となっている。
【００３５】
ステップＳＰ７において鑑別部１８は、記番号周辺画像取得部４２により、紙幣画像ＰＢから記番号部分を含む周辺の一部領域の画像である図５に示す記番号周辺画像ＰＮを抽出し、ステップＳＰ８へ移る。
【００３６】
ステップＳＰ８において鑑別部１８は、記番号周辺画像二値化部５４により、記番号周辺画像ＰＮを二値化し図５に示す二値化記番号周辺画像ＰＮＭを作成し、ステップＳＰ９へ移る。この二値化記番号周辺画像ＰＮＭは、記番号の文字部分と、紙幣の地紋部分とが分離されている。
【００３７】
ステップＳＰ９において鑑別部１８は、記番号周辺画像細線化部５６により、二値化記番号周辺画像ＰＮＭに所定の細線化処理を行うことにより細線化し図５に示す細線化記番号周辺画像ＰＮＴを作成し、ステップＳＰ１０へ移る。この細線化記番号周辺画像ＰＮＴは、その後低解像度化しても行員が目視で記番号を識別可能な状態となっている。
【００３８】
ステップＳＰ１０において鑑別部１８は、記番号周辺画像低解像度化部５８により、細線化記番号周辺画像ＰＮＴを紙幣画像低解像度化部４４と同等の倍率で低解像度化し、図５に示す低解像度記番号周辺画像ＰＮＬＲを作成し、ステップＳＰ１１へ移る。この低解像度記番号周辺画像ＰＮＬＲは、細線化記番号周辺画像ＰＮＴよりも低解像度化されることによりデータ量が小さくなっていると共に、二値化と細線化が行われていることにより、低解像度化に伴う画像の潰れが低解像度紙幣画像ＰＬＲにおける記番号部分の画像よりも抑制されており、行員が目視で記番号を識別可能な状態となっている。
【００３９】
ステップＳＰ１１において鑑別部１８は、合成紙幣画像作成部４６により、低解像度紙幣画像ＰＬＲにおいて記番号が配されている位置に低解像度記番号周辺画像ＰＮＬＲを埋め込んで図５に示す合成紙幣画像ＰＳを作成し、ステップＳＰ１２へ移る。この合成紙幣画像ＰＳは、低解像度紙幣画像ＰＬＲと比較して、記番号部分以外の背景部分の画像は同等であるものの、記番号部分には、記番号周辺画像ＰＮを二値化し細線化してから低解像度化した低解像度記番号周辺画像ＰＮＬＲが埋め込まれているため、記番号部分の画像が精細化されており、行員が目視で記番号を識別可能な状態となっている。
【００４０】
ステップＳＰ１２において鑑別部１８は、記番号識別部６０により、記番号周辺画像ＰＮから記番号を識別し、識別した字を識別結果として取得しステップＳＰ１３へ移る。ステップＳＰ１３において記憶部５０は、識別結果と合成紙幣画像ＰＳとを対応付けて異常時記番号情報としてジャーナル部３２に記憶し、ステップＳＰ２０へ移り紙幣読取記憶処理手順ＲＴ１を終了する。
【００４１】
一方ステップＳＰ５において否定結果が得られると、このことは、紙幣が金種不確定紙幣でも異常紙幣でもなく、正常紙幣であったことを表しており、このとき鑑別部１８は、ステップＳＰ１４へ移る。
【００４２】
ステップＳＰ１４〜ＳＰ１７においてはステップＳＰ７〜ＳＰ１０と同様に、記番号周辺画像取得部４２が記番号周辺画像ＰＮ（図５）を抽出し、記番号周辺画像二値化部５４が二値化記番号周辺画像ＰＮＭを作成し、記番号周辺画像細線化部５６が細線化記番号周辺画像ＰＮＴを作成し、記番号周辺画像低解像度化部５８が低解像度記番号周辺画像ＰＮＬＲを作成し、ステップＳＰ１８へ移る。
【００４３】
ステップＳＰ１８において鑑別部１８は、記番号識別部６０により、記番号周辺画像ＰＮから記番号を識別し、識別した字を識別結果として取得しステップＳＰ１９へ移る。ステップＳＰ１９において記憶部５０は、識別結果と低解像度記番号周辺画像ＰＮＬＲとを対応付けて正常時記番号情報としてジャーナル部３２に記憶し、ステップＳＰ２０へ移り紙幣読取記憶処理手順ＲＴ１を終了する。
【００４４】
［１−４．入金処理］
次に、紙幣入出金機１０による入金処理の具体的な処理手順について、図６に示すフローチャートを用いて詳細に説明する。紙幣入出金機１０の制御部１２は、顧客により操作表示部６を介して入金取引が選択されると、記憶部１４から入金処理プログラムを読み出して実行することにより入金処理手順ＲＴ２を開始し、ステップＳＰ２１へ移る。
【００４５】
ステップＳＰ２１において制御部１２は、入出金口５のシャッタを開き入出金部１６により紙幣を受け付け、ステップＳＰ２２へ移る。ステップＳＰ２２において制御部１２は、投入された紙幣を入出金部１６から１枚ずつ鑑別部１８へ搬送し、ステップＳＰ２３へ移り、上述した紙幣読取記憶処理手順ＲＴ１（図４）を行い、ステップＳＰ２４へ移る。
【００４６】
ここで制御部１２は、紙幣読取記憶処理手順ＲＴ１のステップＳＰ３において金種が確定できないと判定した場合か、又はステップＳＰ５において異常紙幣と判定した場合、この紙幣は入金に適さない入金不可紙幣であると判断する。一方制御部１２は、紙幣読取記憶処理手順ＲＴ１のステップＳＰ３において金種が確定できると判定し、さらにステップＳＰ５において異常紙幣ではないと判定した場合、この紙幣は入金可能な入金可能紙幣であると判断する。
【００４７】
ステップＳＰ２４において制御部１２は、紙幣が入金可能紙幣か否かを判定する。ここで肯定結果が得られると、制御部１２はステップＳＰ２５へ移り、紙幣を鑑別部１８から一時保留部２０へ搬送し、ステップＳＰ２６へ移る。ステップＳＰ２６において制御部１２は、入出金部１６へ投入された紙幣を全て鑑別部１８において鑑別したか否かを判定する。ここで否定結果が得られると、制御部１２はステップＳＰ２２へ戻り、次の紙幣を入出金部１６から鑑別部１８へ搬送する。一方ステップＳＰ２６において肯定結果が得られると、制御部１２はステップＳＰ２７へ移り、顧客により操作表示部６を介して入金キャンセルが選択されたか否かを判定する。ここで否定結果が得られると、制御部１２はステップＳＰ３７へ移り、入金処理手順ＲＴ２を終了する。
【００４８】
一方ステップＳＰ２４において否定結果が得られると、このことは、紙幣が入金不可紙幣であることを表し、このとき制御部１２はステップＳＰ２８へ移り、紙幣を鑑別部１８から入出金部１６へ搬送し、ステップＳＰ２９へ移る。ステップＳＰ２９において制御部１２は、入出金部１６へ投入された紙幣を全て鑑別部１８において鑑別したか否かを判定する。ここで否定結果が得られると、制御部１２はステップＳＰ２２へ戻り、次の紙幣を入出金部１６から鑑別部１８へ搬送する。一方ステップＳＰ２９において肯定結果が得られると、制御部１２はステップＳＰ３０へ移り、入出金口５のシャッタを開き、顧客が紙幣を取り出したか否かを判定する。ここで肯定結果が得られると、紙幣が顧客に返却されたため、制御部１２はステップＳＰ３７へ移り、入金処理手順ＲＴ２を終了する。一方ステップＳＰ３０において否定結果が得られると、制御部１２はステップＳＰ３１へ移り、顧客が紙幣を取り出すまで一定期間待機する。
【００４９】
ステップＳＰ３１において一定期間が経過すると、顧客が紙幣を取り出さなかったため、制御部１２はステップＳＰ３２へ移り、紙幣を入出金部１６から鑑別部１８へ搬送し、ステップＳＰ３３へ移り、上述した紙幣読取記憶処理手順ＲＴ１を行い、ステップＳＰ３４へ移る。ステップＳＰ３４において制御部１２は、紙幣を鑑別部１８から取忘れ庫２２へ搬送して収納し、ステップＳＰ３７へ移り、入金処理手順ＲＴ２を終了する。
【００５０】
一方ステップＳＰ２７において肯定結果が得られると、制御部１２はステップＳＰ３５へ移り、紙幣を一時保留部２０から鑑別部１８へ搬送し、ステップＳＰ３６へ移り、上述した紙幣読取記憶処理手順ＲＴ１を行い、ステップＳＰ２８へ移り、ステップＳＰ２８〜ＳＰ３４の処理を行う。
【００５１】
［１−５．収納処理］
次に、紙幣入出金機１０による収納処理の具体的な処理手順について、図７に示すフローチャートを用いて詳細に説明する。紙幣入出金機１０の制御部１２は、入金処理手順ＲＴ２（図６）のステップＳＰ２７において否定結果を得て当該入金処理手順ＲＴ２を終了すると、記憶部１４から収納処理プログラムを読み出して実行することにより収納処理手順ＲＴ３を開始し、ステップＳＰ４１へ移る。
【００５２】
ステップＳＰ４１において紙幣入出金機１０の制御部１２は、顧客により操作表示部６を介して入金金額が確定されたか否かを待ち受け、入金金額が確定されると、ステップＳＰ４２へ移り、紙幣を一時保留部２０から鑑別部１８へ搬送し、ステップＳＰ４３へ移り、上述した紙幣読取記憶処理手順ＲＴ１（図４）を行い、ステップＳＰ４４へ移る。
【００５３】
ここで制御部１２は、紙幣読取記憶処理手順ＲＴ１のステップＳＰ３において金種が確定できないと判定した場合か、又はステップＳＰ５において異常紙幣と判定した場合、この紙幣は収納に適さない収納不可紙幣であると判断する。一方制御部１２は、紙幣読取記憶処理手順ＲＴ１のステップＳＰ３において金種が確定できると判定し、さらにステップＳＰ５において異常紙幣ではないと判定した場合、この紙幣は収納可能な収納可能紙幣であると判断する。
【００５４】
ステップＳＰ４４において制御部１２は、紙幣が収納可能紙幣か否かを判定する。ここで否定結果が得られると、このことは、紙幣が収納不可紙幣であることを表し、このとき制御部１２はステップＳＰ４５へ移り、紙幣を鑑別部１８からリジェクト庫２８へ搬送して収納することにより、収納可能紙幣とは分別して保管し、ステップＳＰ４７へ移り、収納処理手順ＲＴ３を終了する。一方ステップＳＰ４４において肯定結果が得られると、制御部１２はステップＳＰ４６へ移り、紙幣をその金種に応じて各紙幣収納庫２６へ搬送して保管し、ステップＳＰ４７へ移り収納処理手順ＲＴ３を終了する。
【００５５】
［１−６．出金処理］
次に、紙幣入出金機１０による出金処理の具体的な処理手順について、図８に示すフローチャートを用いて詳細に説明する。紙幣入出金機１０の制御部１２は、顧客により操作表示部６を介して出金取引が選択され出金金額が入力されると、記憶部１４から出金処理プログラムを読み出して実行することにより出金処理手順ＲＴ４を開始し、ステップＳＰ５１へ移る。
【００５６】
ステップＳＰ５１において紙幣入出金機１０の制御部１２は、出金金額に応じて必要な金種毎の紙幣枚数を認識し、この金種毎の紙幣枚数に応じて各紙幣収納庫２６から紙幣を繰り出して鑑別部１８へ搬送しステップＳＰ５２へ移り、上述した紙幣読取記憶処理手順ＲＴ１（図４）を行い、ステップＳＰ５３へ移る。
【００５７】
ここで制御部１２は、紙幣読取記憶処理手順ＲＴ１のステップＳＰ３において金種が確定できないと判定した場合か、又はステップＳＰ５において異常紙幣と判定した場合、この紙幣は出金に適さない出金不可紙幣であると判断する。一方制御部１２は、紙幣読取記憶処理手順ＲＴ１のステップＳＰ３において金種が確定できると判定し、さらにステップＳＰ５において異常紙幣ではないと判定した場合、この紙幣は出金可能な出金可能紙幣であると判断する。
【００５８】
ステップＳＰ５３において制御部１２は、紙幣が出金可能紙幣か否かを判定する。ここで否定結果が得られると、このことは紙幣が出金不可紙幣であることを表し、このとき制御部１２はステップＳＰ５４へ移り、紙幣を鑑別部１８から一時保留部２０へ搬送し、ステップＳＰ５５へ移る。ステップＳＰ５５において制御部１２は、出金金額分の紙幣を入出金部１６に集積したか否かを判定し、ここで否定結果が得られると、ステップＳＰ５１へ戻り、次の紙幣を紙幣収納庫２６から鑑別部１８へ搬送する。一方ステップＳＰ５５において肯定結果が得られると、制御部１２はステップＳＰ５８へ移る。
【００５９】
一方ステップＳＰ５３において肯定結果が得られると、制御部１２はステップＳＰ５６へ移り、紙幣を鑑別部１８から入出金部１６へ搬送し、ステップＳＰ５７へ移る。ステップＳＰ５７において制御部１２は、出金金額分の紙幣を入出金部１６に集積したか否かを判定し、ここで否定結果が得られると、ステップＳＰ５１へ戻り、次の紙幣を紙幣収納庫２６から鑑別部１８へ搬送する。一方ステップＳＰ５７において肯定結果が得られると、制御部１２はステップＳＰ５８へ移り、入出金口５のシャッタを開き、顧客が紙幣を取り出したか否かを判定する。ここで肯定結果が得られると、紙幣が顧客に受け渡しされたため、制御部１２はステップＳＰ６３へ移り、一時保留部２０に出金不可紙幣が保持されている場合、当該出金不可紙幣をリジェクト庫２８へ搬送して保管し、ステップＳＰ６４へ移り、出金処理手順ＲＴ４を終了する。一方ステップＳＰ５８において否定結果が得られると、制御部１２はステップＳＰ５９へ移り、顧客が紙幣を取り出すまで一定期間待機する。
【００６０】
ステップＳＰ５９において一定期間が経過すると、顧客が紙幣を取り出さなかったため、制御部１２はステップＳＰ６０へ移り、紙幣を入出金部１６から鑑別部１８へ搬送し、ステップＳＰ６１へ移り、上述した紙幣読取記憶処理手順ＲＴ１を行い、ステップＳＰ６２へ移る。ステップＳＰ６２において制御部１２は、紙幣を鑑別部１８から取忘れ庫２２へ搬送して収納し、ステップＳＰ６３へ移る。
【００６１】
ステップＳＰ６３において制御部１２は、一時保留部２０に出金不可紙幣が保持されている場合、当該出金不可紙幣をリジェクト庫２８へ搬送して保管し、ステップＳＰ６４へ移り、出金処理手順ＲＴ４を終了する。
【００６２】
［１−７．効果］
以上の構成において、現金自動取引装置１は、金種が確定できない程の状態で搬送された金種不確定紙幣を検出した場合、紙幣画像ＰＢをジャーナル部３２に記憶するようにした。これにより現金自動取引装置１は、データ量は大きいものの、記番号の配されている位置が不明である金種不確定紙幣については、搬送された状態の紙幣の状態の画像をそのまま保存することで、金銭トラブル等の顧客クレームに備えることができる。
【００６３】
一方金種は確定できたものの異常紙幣であると判定した場合、現金自動取引装置１は、記番号周辺画像処理部４８により、行員が目視で記番号を識別可能な状態を保ちつつ記番号周辺画像ＰＮを低解像度化した低解像度記番号周辺画像ＰＮＬＲを作成し、当該低解像度記番号周辺画像ＰＮＬＲを低解像度紙幣画像ＰＬＲに埋め込むことにより合成紙幣画像ＰＳを作成し、当該合成紙幣画像ＰＳを含む異常時記番号情報をジャーナル部３２に記憶するようにした。これにより現金自動取引装置１は、紙幣画像ＰＢと比較してデータ量を大幅に削減しつつ紙幣全体の画像を保存し、さらに行員が目視で記番号を識別可能な状態とすることができ、顧客クレームに備えることができる。
【００６４】
また現金自動取引装置１は、合成紙幣画像ＰＳと識別結果とを対応付けて異常時記番号情報としてジャーナル部３２に記憶するようにしたため、識別結果のみを記憶する場合と比較して、記番号を誤って識別した場合に合成紙幣画像ＰＳから記番号を再度識別することができる。
【００６５】
一方正常紙幣であると判定した場合、現金自動取引装置１は、低解像度記番号周辺画像ＰＮＬＲを含む正常時記番号情報をジャーナル部３２に記憶するようにした。これにより現金自動取引装置１は、取り扱う紙幣の大部分を占める正常紙幣における記番号の情報を、紙幣画像ＰＢ又は合成紙幣画像ＰＳよりも極めて少ない必要最小限のデータ量で保存することができる。
【００６６】
また現金自動取引装置１は、低解像度記番号周辺画像ＰＮＬＲと識別結果とを対応付けて正常時記番号情報としてジャーナル部３２に記憶するようにしたため、識別結果のみを記憶する場合と比較して、記番号を誤って識別した場合に低解像度記番号周辺画像ＰＮＬＲから記番号を再度識別することができる。
【００６７】
また現金自動取引装置１は、紙幣画像ＰＢから抽出した記番号周辺画像ＰＮをそのままジャーナル部３２に記憶するのではなく、低解像度化した低解像度記番号周辺画像ＰＮＬＲをジャーナル部３２に記憶するようにしたため、記番号周辺画像ＰＮをそのまま記憶する場合と比較して、データ量を削減できる。
【００６８】
ここで、顧客からクレームを受けた場合、行員はジャーナル部３２に記憶されたジャーナル情報に基づき対応を行う。現金自動取引装置１は、ジャーナル部３２からジャーナル情報を読み出し、異常時記番号情報であった場合、当該異常時記番号情報に含まれる合成紙幣画像ＰＳを拡大処理し、図９に示す拡大合成紙幣画像ＰＥＳを作成する。この拡大合成紙幣画像ＰＥＳは、背景部分は紙幣画像ＰＢと比較して荒くなっているものの、記番号部分は読み取れる程度の精細度を有している。行員は、この拡大合成紙幣画像ＰＥＳにおける記番号部分から記番号を目視で識別し、この識別結果と、合成紙幣画像ＰＳに対応付けられた顧客情報及び取引情報に基づき、顧客対応を行う。
【００６９】
このとき、仮に低解像度紙幣画像ＰＬＲを拡大し、図１０に示す拡大低解像度紙幣画像ＰＥＬＲを作成した場合、当該拡大低解像度紙幣画像ＰＥＬＲは、紙幣画像ＰＢが低解像度化され低解像度紙幣画像ＰＬＲが作成される際に記番号部分の画像が潰れてしまっているため、そのような低解像度紙幣画像ＰＬＲを拡大した拡大低解像度紙幣画像ＰＥＬＲは、記番号が識別困難となってしまっている。
【００７０】
これに対し現金自動取引装置１は、低解像度紙幣画像ＰＬＲの記番号部分に、紙幣画像ＰＢから別途記番号部分を抽出し加工して低解像度化した低解像度記番号周辺画像ＰＮＬＲを合成し合成紙幣画像ＰＳを作成したため、合成紙幣画像ＰＳのデータ量を低解像度紙幣画像ＰＬＲとほぼ同等にしつつ、その後顧客対応の際は、当該合成紙幣画像ＰＳの記番号部分から、記番号を識別することができる。
【００７１】
さらに合成紙幣画像ＰＳ及び低解像度記番号周辺画像ＰＮＬＲは非常にデータ量が小さいため、現金自動取引装置１は、ジャーナル部３２に記憶された合成紙幣画像ＰＳ又は低解像度記番号周辺画像ＰＮＬＲを操作表示部６に表示させたり、ジャーナル部３２内において合成紙幣画像ＰＳ又は低解像度記番号周辺画像ＰＮＬＲを検索したりする際、高速に処理を行うことができる。
【００７２】
さらに合成紙幣画像ＰＳ及び低解像度記番号周辺画像ＰＮＬＲは非常にデータ量が小さいため、現金自動取引装置１は、合成紙幣画像ＰＳ又は低解像度記番号周辺画像ＰＮＬＲを取引情報としてリアルタイムで操作表示部６に表示させるといったことも可能となる。
【００７３】
さらに現金自動取引装置１は、入金処理、収納処理及び出金処理において、紙幣搬送中に適宜紙幣読取記憶処理を行うようにしたため、紙幣搬送中における紙幣の状態を適宜確認することができる。
【００７４】
以上の構成によれば、現金自動取引装置１は、紙幣全体の画像である紙幣画像ＰＢを取得する紙幣画像取得部４０と、紙幣画像ＰＢから記番号を含む画像である記番号周辺画像ＰＮを取得する記番号周辺画像取得部４２と、紙幣画像ＰＢを低解像度化し低解像度紙幣画像ＰＬＲを生成する紙幣画像低解像度化部４４と、低解像度紙幣画像ＰＬＲにおける記番号周辺画像ＰＮに相当する位置へ記番号周辺画像ＰＮを埋め込み合成紙幣画像ＰＳを作成する合成紙幣画像作成部４６とを設けるようにした。これにより現金自動取引装置１は、行員が目視で記番号を識別可能な状態を保ちつつ記番号周辺画像ＰＮを低解像度化することで、データ量を削減しつつ、目視で記番号を識別可能な画像を記憶することができる。
【００７５】
［２．他の実施の形態］
なお上述した実施の形態においては、記番号周辺画像ＰＮを二値化して二値化記番号周辺画像ＰＮＭを作成し、当該二値化記番号周辺画像ＰＮＭを細線化して細線化記番号周辺画像ＰＮＴを作成し、当該細線化記番号周辺画像ＰＮＴを低解像度化して低解像度記番号周辺画像ＰＮＬＲを作成する場合について述べた。本発明はこれに限らず、二値化記番号周辺画像ＰＮＭに対し線形補間を行い、各画素に対して近傍の画素からの距離の比率を求め、この比率で近傍の画素の濃度値から補間することにより、低解像度記番号周辺画像を作成しても良い。要は、二値化や細線化等は必須ではなく、低解像度化し少ない画素数となっても記番号が目視で識別可能となるような画像処理等の種々の加工を記番号周辺画像ＰＮに施せば良い。
【００７６】
また上述した実施の形態においては、行員が目視で記番号を識別可能な状態となっている低解像度記番号周辺画像ＰＮＬＲが埋め込まれた合成紙幣画像ＰＳを作成する場合について述べた。本発明はこれに限らず、現金自動取引装置１が文字認識で記番号を読み取って識別可能な状態となっている記番号部分を有する合成紙幣画像ＰＳを作成しても良い。その場合、顧客からクレームを受けた際、現金自動取引装置１は、合成紙幣画像ＰＳを拡大処理して拡大合成紙幣画像ＰＥＳを作成し、この拡大合成紙幣画像ＰＥＳにおける記番号部分から記番号を読み取って識別することにより識別結果を取得する。行員は、この識別結果と、合成紙幣画像ＰＳに対応付けられた顧客情報及び取引情報に基づき、顧客対応を行えば良い。またその場合、現金自動取引装置１は、拡大合成紙幣画像ＰＥＳではなく合成紙幣画像ＰＳにおける記番号部分から記番号を読み取って識別することにより識別結果を取得しても良い。
【００７７】
さらに上述した実施の形態においては、紙幣読取記憶処理手順ＲＴ１のステップＳＰ１２及びＳＰ１８において、記番号周辺画像ＰＮに基づき記番号を識別する場合について述べた。本発明はこれに限らず、二値化記番号周辺画像ＰＮＭ又は細線化記番号周辺画像ＰＮＴに基づき記番号を識別しても良い。
【００７８】
さらに上述した実施の形態においては、低解像度記番号周辺画像ＰＮＬＲと識別結果とを対応付けて正常時記番号情報として、合成紙幣画像ＰＳと識別結果とを対応付けて異常時記番号情報として、それぞれ記憶する場合について述べたが、本発明はこれに限らず、低解像度記番号周辺画像ＰＮＬＲか識別結果のどちらか一方のみか、又は合成紙幣画像ＰＳか識別結果のどちらか一方のみを記憶しても良い。
【００７９】
さらに上述した実施の形態においては、少なくとも紙幣の片面全体を示す紙幣画像ＰＢを取得する場合について述べた。本発明はこれに限らず、紙幣の表面及び裏面の全体を示す紙幣画像を取得しても良い。
【００８０】
さらに上述した実施の形態においては、収納処理手順ＲＴ３のステップＳＰ４３において紙幣読取記憶処理を行う場合について述べたが、本発明はこれに限らず、収納処理時において紙幣読取記憶処理は実行せず省略しても良い。しかしながら、入金処理時において一時保留部２０へ搬送された紙幣の記番号は全て識別できているはずであるが、搬送中に紙幣が破損する可能性があるため、収納処理時においても紙幣読取記憶処理を実行する方が望ましい。
【００８１】
さらに本発明において現金自動取引装置１は、インターネットの専用網を介し金融機関ホスト等に接続され、当該金融機関ポストと顧客情報、取引情報、ジャーナル情報等を送受信しても良い。そのような場合、ジャーナル情報のデータ量が削減されているため、金融機関ホストと送受信するデータ量を削減でき、通信の負荷を減らしシステム負荷を軽減できる。
【００８２】
さらに上述した実施の形態においては、記憶部１４に予め記憶させておいた紙幣読取記憶処理プログラムを読み出して実行する場合について述べた。本発明はこれに限らず、例えばＵＳＢ（Universal Serial Bus）等のインタフェースやＩＥＥＥ(Institute of Electrical and Electronics Engineers)８０２．３ａｂ等のネットワーク、或いはＣＤ−ＲＯＭ（Compact Disc-Read Only Memory）等の外部記憶媒体を介して、外部から紙幣読取記憶処理プログラムを取得して実行しても良い。
【００８３】
さらに上述した実施の形態においては、現金を取引する現金自動取引装置１において、媒体としての紙幣の記番号の画像を記憶する場合に本発明を適用する場合について述べた。本発明はこれに限らず、例えば商品券や金券、入場券等のような薄い紙状の媒体に付された固有な識別字を記憶する種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用しても良い。
【００８４】
さらに上述した実施の形態においては、入金取引及び出金取引を行う現金自動取引装置１に本発明を適用する場合について述べたが、入金取引のみ又は出金取引のみを行う装置に本発明を適用しても良い。
【００８５】
さらに上述した実施の形態においては、紙幣画像取得部としての紙幣画像取得部４０と、記番号周辺画像取得部としての記番号周辺画像取得部４２と、紙幣画像低解像度化部としての紙幣画像低解像度化部４４と、合成紙幣画像作成部としての合成紙幣画像作成部４６とによって、紙幣処理装置としての紙幣入出金機１０を構成する場合について述べた。本発明はこれに限らず、その他種々の構成でなる紙幣画像取得部と、記番号周辺画像取得部と、紙幣画像低解像度化部と、合成紙幣画像作成部とによって、紙幣処理装置を構成しても良い。
【産業上の利用可能性】
【００８６】
本発明は、紙幣の記番号を判別し管理する種々の装置でも利用できる。
【符号の説明】
【００８７】
１……現金自動取引装置、２……筐体、３……接客部、４……カード入出口、５……入出金口、６……操作表示部、７……テンキー、８……レシート発行口、９……主制御部、１０……紙幣入出金機、１２……制御部、１４……記憶部、１６……入出金部、１８……鑑別部、２０……一時保留部、２２……取忘れ庫、２４……搬送部、２６……紙幣収納庫、２８……リジェクト庫、３２……ジャーナル部、４０……紙幣画像取得部、４２……記番号周辺画像取得部、４４……紙幣画像低解像度化部、４６……合成紙幣画像作成部、４８……記番号周辺画像処理部、５０……記憶部、５２……判定部、５４……記番号周辺画像二値化部、５６……記番号周辺画像細線化部、５８……記番号周辺画像低解像度化部、６０……記番号識別部、ＰＢ……紙幣画像、ＰＬＲ……低解像度紙幣画像、ＰＮ……記番号周辺画像、ＰＮＭ……二値化記番号周辺画像、ＰＮＴ……細線化記番号周辺画像、ＰＮＬＲ……低解像度記番号周辺画像、ＰＳ……合成紙幣画像、ＰＥＬＲ……拡大低解像度紙幣画像、ＰＥＳ……拡大合成紙幣画像。
【図１】
2015191577.tif 000003
【図２】
2015191577.tif 000004
【図３】
2015191577.tif 000005
【図４】
2015191577.tif 000006
【図５】
2015191577.tif 000007
【図６】
2015191577.tif 000008
【図７】
2015191577.tif 000009
【図８】
2015191577.tif 000010
【図９】
2015191577.tif 000011
【図１０】
2015191577.tif 000012